(57)【要約】【課題】より柔軟なシステム構築が可能な画像形成装置または画像形成システムを提供する。【解決手段】画像形成装置（ＤＩＣＯＭプリンタ１４）は、医用画像データ（ＤＩＣＯＭデータ）を受信する受信部（ネットワーク送受信部１０１）と、医用画像データを所定の形式に変換する変換部（ＤＩＣＯＭデータ変換部１０４）と、医用画像データの入力元と出力先とを対応付けて記憶した対応テーブル（転送先テーブル１０７）と、受信部で受信した医用画像データを対応テーブルに基づいて出力先に出力する出力部（制御部１００）とを備える。【選択図】図２
2016137571.tif 000002
【特許請求の範囲】
【請求項１】
医用画像データを受信する受信部と、
前記医用画像データを所定の形式に変換する変換部と、
前記医用画像データの入力元と出力先とを対応付け記憶した対応テーブルを有し、前記受信部で受信した前記医用画像データを、前記対応テーブルに基づいて前記出力先に出力する出力部と
を備えたことを特徴とする画像形成装置。
【請求項２】
前記受信部は、ＤＩＣＯＭ規格に基づいて前記医用画像データを受信し、
前記変換部は、前記受信部で受信した前記医用画像データをｐｏｓｔｓｃｒｉｐｔデータに変換すること
を特徴とする請求項１に記載の画像形成装置。
【請求項３】
前記対応テーブルは、ユーザの操作により変更可能であることを特徴とする請求項１または２に記載の画像形成装置。
【請求項４】
前記受信部は、ＡＥＴの指定と共に前記医用画像データを受信し、
前記対応テーブルは、前記ＡＥＴと前記出力先とを対応付けて記憶していること
を特徴とする請求項２に記載の画像形成装置。
【請求項５】
前記対応テーブルが、一つの前記ＡＥＴに対して一つの前記出力先を対応付けて記憶していることを特徴とする請求項４に記載の画像形成装置。
【請求項６】
前記対応テーブルが、一つの前記ＡＥＴに対して複数の前記出力先を対応付けて記憶していることを特徴とする請求項４に記載の画像形成装置。
【請求項７】
前記出力先は、前記医用画像データが印刷される媒体を供給する媒体供給部を備え、
前記対応テーブルが、前記ＡＥＴと前記出力先の前記媒体供給部とを対応付けて記憶していることを特徴とする請求項４から６までのいずれか１項に記載の画像形成装置。
【請求項８】
前記対応テーブルが、前記ＡＥＴの少なくとも一つと記憶媒体とを対応付けて記憶していることを特徴とする請求項４から７までのいずれか１項に記載の画像形成装置。
【請求項９】
前記対応テーブルが、前記出力先として、前記画像形成装置を記憶していることを特徴とする請求項１から８までのいずれか１項に記載の画像形成装置。
【請求項１０】
前記対応テーブルを格納した記憶装置をさらに備えたことを特徴とする請求項１から９までのいずれか１項に記載の画像形成装置。
【請求項１１】
情報処理装置と、
画像処理装置と、
前記情報処理装置から医用画像データが入力され、前記画像処理装置に出力するサーバと
を備え、
前記サーバが、前記医用画像データの入力元と出力先とを対応付けて記憶した対応テーブルを有し、前記情報処理装置から入力された前記医用画像データを、前記対応テーブルに基づいて前記出力先である前記画像処理装置に出力し、
前記対応テーブルは、ユーザの操作により変更可能であること
を特徴とする画像形成システム。
【請求項１２】
前記医用画像データの前記入力元は、前記医用画像データを送信した送信元であることを特徴とする請求項１１に記載の画像形成システム。
【請求項１３】
前記医用画像データの前記入力元は、前記サーバに対する前記医用画像データの受付口であることを特徴とする請求項１１に記載の画像形成システム。
【請求項１４】
前記サーバは、ＤＩＣＯＭ規格に基づいて前記医用画像データを受信し、
前記サーバは、入力された前記医用画像データをｐｏｓｔｓｃｒｉｐｔデータに変換する変換部を備えること
を特徴とする請求項１１から１３までのいずれか１項に記載の画像形成システム。
【請求項１５】
前記サーバは、ＡＥＴの指定と共に前記医用画像データを受信し、
前記対応テーブルは、前記ＡＥＴと前記出力先とを対応付けて記憶していること
を特徴とする請求項１４に記載の画像形成システム。
【請求項１６】
前記対応テーブルが、一つの前記ＡＥＴに対して一つの前記出力先を対応付けて記憶していることを特徴とする請求項１５に記載の画像形成システム。
【請求項１７】
前記対応テーブルが、一つの前記ＡＥＴに対して複数の前記出力先を対応付けて記憶していることを特徴とする請求項１５に記載の画像形成システム。
【請求項１８】
前記画像処理装置は、前記医用画像データが印刷される媒体を供給する媒体供給部を備え、
前記対応テーブルが、前記ＡＥＴと前記画像処理装置の前記媒体供給部とを対応付けて記憶していることを特徴とする請求項１５から１７までのいずれか１項に記載の画像形成システム。
【請求項１９】
前記対応テーブルが、前記ＡＥＴの少なくとも一つと記憶媒体とを対応付けて記憶していることを特徴とする請求項１５から１８までのいずれか１項に記載の画像形成システム。
【請求項２０】
前記サーバは、前記対応テーブルを格納した記憶装置をさらに備えたことを特徴とする請求項１１から１９までのいずれか１項に記載の画像形成システム。
【発明の詳細な説明】
【技術分野】
【０００１】
本発明は、ＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）規格に準拠した医用画像データに基づき、媒体に画像を印刷する技術に関する。
【背景技術】
【０００２】
従来より、モダリティで生成した医用画像データ（ＤＩＣＯＭデータ）をサーバに蓄積し、必要に応じてプリンタで印刷する技術が知られている。印刷時には、例えばモダリティからプリンタに、サーバとデータを特定する識別子を含む印刷指示を送信する。プリンタは、識別子の情報に基づいて、サーバから医用画像データを取得して媒体に印刷する。
【先行技術文献】
【特許文献】
【０００３】
【特許文献１】特開２００１−９４７４４号公報（要約）
【発明の概要】
【発明が解決しようとする課題】
【０００４】
近年、医用画像データの利用形態の多様化に伴い、より柔軟なシステム構築を可能にすることが求められている。
【０００５】
本件は、上記の課題を解決するためになされたものであり、より柔軟なシステム構築を可能にすることを目的とする。
【課題を解決するための手段】
【０００６】
本発明に係る画像形成装置は、医用画像データを受信する受信部と、医用画像データを所定の形式に変換する変換部と、医用画像データの入力元と出力先とを対応付けて記憶した対応テーブルを有し、受信部で受信した医用画像データを、対応テーブルに基づいて出力先に出力する出力部とを備えたことを特徴とする。
【０００７】
本発明に係る画像形成システムは、情報処理装置と、画像処理装置と、情報処理装置から医用画像データが入力され、画像処理装置に出力するサーバと、対応テーブルの設定を行う設定部とを備え、サーバが、医用画像データの入力元と出力先とを対応付けて記憶した対応テーブルを有し、情報処理装置から入力された医用画像データを、対応テーブルに基づいて出力先である画像処理装置に出力することを特徴とする。
【発明の効果】
【０００８】
本発明によれば、医用画像データの入力元と出力先とを対応付けて記憶した対応テーブルに基づいて医用画像データを出力する構成により、柔軟なシステム構築が可能になる。
【図面の簡単な説明】
【０００９】
【図１】本発明の第１の実施の形態におけるＤＩＣＯＭプリンタを含む画像形成システムの構成を示すブロック図である。
【図２】第１の実施の形態におけるＤＩＣＯＭプリンタの構成を示すブロック図である。
【図３】ＤＩＣＯＭデータの基本構成を示す模式図である。
【図４】第１の実施の形態における転送先テーブルを示す図である。
【図５】第１の実施の形態におけるＡＥＴ登録画面を示す図である。
【図６】第１の実施の形態におけるＡＥＴ設定画面を示す図である。
【図７】第１の実施の形態におけるＤＩＣＯＭプリンタの動作を説明するためのフローチャートである。
【図８】第１の実施の形態の変形例における画像形成システムを示すブロック図である。
【図９】本発明の第２の実施の形態における転送先テーブルを示す図である。
【図１０】第２の実施の形態におけるＡＥＴ設定画面を示す図である。
【図１１】本発明の第３の実施の形態における転送先テーブルを示す図である。
【図１２】第３の実施の形態におけるＡＥＴ設定画面を示す図である。
【図１３】本発明の第４の実施の形態における画像形成システムを示すブロック図である。
【図１４】第４の実施の形態における転送先テーブルを示す図である。
【図１５】第４の実施の形態におけるＡＥＴ設定画面を示す図である。
【発明を実施するための形態】
【００１０】
第１の実施の形態．
＜画像形成システムの構成＞
図１は、本発明の第１の実施の形態における画像形成装置を含む画像形成システムの基本構成を示すブロック図である。図１に示す画像形成システム１は、情報処理装置としてのモダリティ１１，１２，１３と、画像形成装置（サーバ）としてのＤＩＣＯＭ（Ｄｉｇｉｔａｌ  Ｉｍａｇｉｎｇ  ａｎｄ  Ｃｏｍｍｕｎｉｃａｔｉｏｎｓ  ｆｏｒ  Ｍｅｄｉｃｉｎｅ）プリンタ１４と、画像処理装置としてのｐｏｓｔｓｃｒｉｐｔプリンタ１５，１６と、これらが接続されたＬＡＮ（Ｌｏｃａｌ  Ａｒｅａ  Ｎｅｔｗｏｒｋ）等のネットワーク１０とを有している。
【００１１】
モダリティ１１，１２，１３は、画像を撮影し、ＤＩＣＯＭ規格に基づいてＤＩＣＯＭデータ（医用画像データ）を生成し、ＤＩＣＯＭ規格（ＤＩＣＯＭ通信プロトコル）に基づいて、ネットワーク１０上の指定した装置に送信するものである。
【００１２】
モダリティ１１は、例えば、ＣＴ（Ｃｏｍｐｕｔｅｄ  Ｔｏｍｏｇｒａｐｈｙ）装置である。モダリティ１２は、例えば、ＭＲ（Ｍａｇｎｅｔｉｃ  Ｒｅｓｏｎａｎｃｅ）装置である。モダリティ１３は、例えば、ＣＲ（Ｃｏｍｐｕｔｅｄ  Ｒａｄｉｏｇｒａｐｈｙ）装置である。モダリティ１１，１２，１３は、操作パネルを有しており、ユーザ（例えば医師）の操作により、ＤＩＣＯＭプリンタ１４にサービス要求（印刷要求）を行うことができる。
【００１３】
ｐｏｓｔｓｃｒｉｐｔプリンタ（以下、ＰＳプリンタと称する）１５，１６は、いずれもｐｏｓｔｓｃｒｉｐｔ（商標）データを受信してビットマップデータに展開し、用紙等の媒体に印刷するプリンタである。ＰＳプリンタ１５，１６は、ｐｏｓｔｓｃｒｉｐｔデータを印刷できるプリンタであればよい。ここでは、電子写真法を用いたプリンタを用いる。
【００１４】
ＤＩＣＯＭプリンタ１４は、モダリティ１１，１２，１３から、ＤＩＣＯＭ規格（ＤＩＣＯＭ通信プロトコル）に基づいて送信されたＤＩＣＯＭデータを受信し、ｐｏｓｔｓｃｒｉｐｔデータに変換して媒体に印刷し、あるいはＰＳプリンタ１５またはＰＳプリンタ１６に転送する機能を有している。
【００１５】
すなわち、ＤＩＣＯＭプリンタ１４は、モダリティ１１，１２，１３等のＳＣＵ（Ｓｅｒｖｉｃｅ  Ｃｌａｓｓ  Ｕｓｅｒ）に対して、サービス要求に応じたサービス（医用画像の印刷）を提供するＳＣＰ（Ｓｅｒｖｉｃｅ  Ｃｌａｓｓ  Ｐｒｏｖｉｄｅｒ）として機能する。
【００１６】
＜ＤＩＣＯＭプリンタの構成＞
図２は、ＤＩＣＯＭプリンタ１４の構成を示すブロック図である。ＤＩＣＯＭプリンタ１４は、制御部１００と、受信部としてのネットワーク送受信部１０１と、印刷データコマンド解析部１０２と、印刷データ編集・展開部１０３と、変換部としてのＤＩＣＯＭデータ変換部１０４と、記憶装置１０５と、設定部（参照部）としての転送先テーブル設定・参照部１０６と、メモリ１０８と、画像形成部としてのプリンタエンジン１０９と、表示部１１０とを備えている。
【００１７】
これらの構成要素のうち、制御部１００、ネットワーク送受信部１０１、印刷データコマンド解析部１０２、印刷データ編集・展開部１０３、ＤＩＣＯＭデータ変換部１０４および転送先テーブル設定・参照部１０６は、例えばＣＰＵ（Ｃｅｎｔｒａｌ  Ｐｒｏｃｅｓｓｉｎｇ  Ｕｎｉｔ）で構成されている。また、メモリ１０８は、例えばＲＡＭ（Ｒａｎｄｏｍ  Ａｃｃｅｓｓ  Ｍｅｍｏｒｙ）で構成されている。
【００１８】
ネットワーク送受信部１０１は、例えばＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）により、ネットワーク１０を介してモダリティ１１，１２，１３との通信を行う。ネットワーク送受信部１０１は、ＤＩＣＯＭ規格に基づいてモダリティ１１，１２，１３からＤＩＣＯＭデータを受信し、受信したデータをメモリ１０８に格納する。
【００１９】
印刷データコマンド解析部１０２は、制御部１００の指示に基づき、メモリ１０８に格納されたデータを解析し、解析結果をメモリ１０８に格納する。
【００２０】
印刷データ編集・展開部１０３は、制御部１００の指示に基づき、メモリ１０８に格納された解析結果を元にｐｏｓｔｓｃｒｉｐｔデータを翻訳し、メモリ１０８上に印刷データを編集し、展開する。
【００２１】
ＤＩＣＯＭデータ変換部１０４は、制御部１００の指示に基づき、ネットワーク送受信部１０１がメモリ１０８に格納したＤＩＣＯＭデータを、ｐｏｓｔｓｃｒｉｐｔデータに変換する。
【００２２】
記憶装置１０５は、例えばハードディスク装置で構成されており、後述する転送先テーブル１０７を格納している。
【００２３】
転送先テーブル設定・参照部１０６は、記憶装置１０５に保持された転送先テーブル１０７を参照してｐｏｓｔｓｃｒｉｐｔデータの転送先を選択し、またはユーザの入力を受け付けて転送先テーブル１０７の設定を行う。
【００２４】
プリンタエンジン１０９は、メモリ１０８上に展開された印刷データを、用紙等の媒体に印刷する。なお、プリンタエンジン１０９は、どのような方式を用いたものであってもよいが、例えば、電子写真法を用いて媒体にトナー像（現像剤像）を形成するものが好ましい。
【００２５】
電子写真法を用いる場合、プリンタエンジン１０９は、感光体ドラム等の像担持体と、像担持体の表面を一様に帯電させる帯電部と、像担持体の表面に光を照射して静電潜像を形成する露光部と、静電潜像を現像する現像部と、像担持体の表面に形成された現像剤像を媒体に転写する転写部と、現像剤像を媒体に定着する定着部とを備える。露光部としてＬＥＤ（発光ダイオード）を用いれば、高精細画像を形成する上で有利である。
【００２６】
表示部１１０は、転送先テーブル設定・参照部１０６によりユーザが転送先テーブル１０７の設定を行うためのものであり、例えばタッチパネル等で構成される。
【００２７】
制御部１００は、ＤＩＣＯＭプリンタ１４の全体を制御する。特に、制御部１００は、ネットワーク送受信部１０１が受信したＤＩＣＯＭデータを、ＰＳプリンタ１５，１６で印刷できるように、ＤＩＣＯＭデータ変換部１０４によりｐｏｓｔｓｃｒｉｐｔデータ（ページ記述言語）に変換する制御を行う。また、制御部１００は、転送先テーブル１０７に基づいて転送先（出力先）を決定し、その転送先（ＰＳプリンタ１５、ＰＳプリンタ１６等）にｐｏｓｔｓｃｒｉｐｔデータ転送する制御を行う。制御部１００、記憶装置１０５および転送先テーブル設定・参照部１０６は、出力部を構成している。
【００２８】
＜ＤＩＣＯＭデータの構成＞
図３は、ＤＩＣＯＭデータの基本構成を示す模式図である。図３に示すように、ＤＩＣＯＭデータは、複数のデータ要素（Ｄａｔａ  Ｅｌｅｍｅｎｔ）２１で構成されている。各データ要素２１は、タグ２２と、ＶＲ（Ｖａｌｕｅ  Ｒｅｐｒｅｓｅｎｔａｔｉｏｎ）２５と、Ｖａｌｕｅ  Ｌｅｎｇｔｈ２６と、Ｖａｌｕｅ  Ｆｉｅｌｄ２７とを有している。
【００２９】
タグ２２は、グループ番号２３とエレメント番号２４とで構成されている。グループ番号２３とエレメント番号２４との組み合わせにより、データ要素２１のＶａｌｕｅ  Ｆｉｅｌｄ２７に含まれるデータがどのような情報かを示す。例えば、グループ番号２３が「００１０」でエレメント番号２４が「００１０」である場合には、Ｖａｌｕｅ  Ｆｉｅｌｄ２７に含まれるデータは患者名である。また、グループ番号２３が「７ｆｅ０」でエレメント番号２４が「００１０」である場合には、Ｖａｌｕｅ  Ｆｉｅｌｄ２７に含まれるデータは医用画像のピクセルデータである。
【００３０】
ＶＲ２５は、データ要素２１のＶａｌｕｅ  Ｆｉｅｌｄ２７に含まれるデータのデータ形式（表現方法）を示す。なお、ＶＲ２５は、規格上、省略することも可能である。Ｖａｌｕｅ  Ｌｅｎｇｔｈ２６は、Ｖａｌｕｅ  Ｆｉｅｌｄ２７に含まれるデータの長さ（バイト長）を示す。
【００３１】
Ｖａｌｕｅ  Ｆｉｅｌｄ２７は、データの領域である。Ｖａｌｕｅ  Ｆｉｅｌｄ２７のデータは、患者の名前、生年月日、ＩＤ（識別情報）、撮影日時、撮影部位などの付帯情報、または医用画像のピクセルデータである。
【００３２】
上記のとおり、ＤＩＣＯＭプリンタ１４のＤＩＣＯＭデータ変換部１０４（図２）は、モダリティ１１，１２，１３（図１）の何れかから受信したＤＩＣＯＭデータを、ｐｏｓｔｓｃｒｉｐｔデータに変換する。ＤＩＣＯＭデータには、上述した医用画像と付帯情報とが含まれているため、ＤＩＣＯＭデータ変換部１０４は、医用画像と付帯情報とを重ね合わせたｐｏｓｔｓｃｒｉｐｔデータを生成する。
【００３３】
＜転送先テーブル＞
図４は、記憶装置１０５に保持された転送先テーブル１０７（対応テーブル）の一例を示す図である。転送先テーブル１０７は、ＡＥＴ（Ａｐｐｌｉｃａｔｉｏｎ  Ｅｎｔｉｔｙ  Ｔｉｔｌｅ）に対応付けて、ｐｏｓｔｓｃｒｉｐｔデータの転送先を記憶している。
【００３４】
ここでは、モダリティ１１で撮影した画像を印刷するＡＥＴには、「ＯＫＩ１」というＡＥＴ名が付されているものとする。また、モダリティ１２で撮影した画像を印刷するＡＥＴには、「ＯＫＩ２」というＡＥＴ名が付されており、モダリティ１３で撮影した画像を印刷するＡＥＴには、「ＯＫＩ３」というＡＥＴ名が付されているものとする。
【００３５】
転送先テーブル１０７では、「ＯＫＩ１」というＡＥＴに、転送先（出力先）として、ＤＩＣＯＭプリンタ１４（ＬＯＣＡＬ）が対応付けられている。「ＯＫＩ２」というＡＥＴには、転送先として、ＰＳプリンタ１５（Ｒｅｍｏｔｅ１）が対応付けられている。「ＯＫＩ３」というＡＥＴには、転送先として、ＰＳプリンタ１６（Ｒｅｍｏｔｅ２）が対応付けられている。
【００３６】
ＤＩＣＯＭデータは、モダリティ１１，１２，１３から、ＡＥＴを指定して送信される。ＤＩＣＯＭプリンタ１４の制御部１００（図２）は、指定されたＡＥＴを元に、転送先テーブル設定・参照部１０６によって転送先テーブル１０７を検索して転送先（出力先）を決定し、その転送先（ＰＳプリンタ１５、ＰＳプリンタ１６等）にｐｏｓｔｓｃｒｉｐｔデータを転送する制御を行う。
【００３７】
なお、ＡＥＴは、ＤＩＣＯＭデータの入力元を表す情報に相当する。言い換えると、ＡＥＴは、ＤＩＣＯＭプリンタ１４に対するＤＩＣＯＭデータの受付口を表す情報に相当する。あるいは、ＡＥＴは、ＤＩＣＯＭデータを送信した送信元（モダリティ１１，１２，１３）を表す情報と言うこともできる。
【００３８】
＜転送先テーブルの設定＞
図５は、第１の実施の形態におけるＡＥＴ登録画面３０を示す図である。ＡＥＴ登録画面３０は、ユーザの入力を受け付けるために、転送先テーブル設定・参照部１０６が、例えばＤＩＣＯＭプリンタ１４の表示部１１０に表示するものである。但し、このような態様に限定されるものではなく、Ｗｅｂサービスを利用して他のパーソナルコンピュータ等から入力を受け付けるようにしてもよい。これについては後述する（図８）。
【００３９】
ＡＥＴ登録画面３０は、ＡＥＴリスト３１と、新規ボタン３２と、編集ボタン３３と、削除ボタン３４とを有している。
【００４０】
ＡＥＴリスト３１には、現在登録されているＡＥＴのリストが表示される。ここでは、ＡＥＴリスト３１に、上記の「ＯＫＩ１」、「ＯＫＩ２」および「ＯＫＩ３」というＡＥＴが登録されている。
【００４１】
新規ボタン３２は、ＡＥＴリスト３１にユニークな名前のＡＥＴを追加する際に押すボタンである。図５に示した例では、ＮｅｗＡＥＴ（１）というユニークな名前のＡＥＴがＡＥＴリスト３１に追加されている。
【００４２】
編集ボタン３３は、ＡＥＴリスト３１で選択したＡＥＴの設定を変更する際に押すボタンである。編集ボタン３３を押すと、次に説明するＡＥＴ設定画面４０（図６）に移行する。削除ボタン３４は、ＡＥＴリスト３１で選択したＡＥＴを削除する際に押すボタンである。
【００４３】
図６は、第１の実施の形態におけるＡＥＴ設定画面４０を示す図である。ＡＥＴ設定画面４０は、ＡＥＴの印刷に関する設定を行うためのものであり、ユーザがＡＥＴ登録画面３０（図５）の編集ボタン３３を押すことにより、ＤＩＣＯＭプリンタ１４の表示部１１０に表示される。
【００４４】
ＡＥＴ設定画面４０は、ＡＥＴ名４１と、コントラスト設定部４２、明度設定部４３、プリンタ設定部４４、保存ボタン４５およびキャンセルボタン４６を有している。
【００４５】
ＡＥＴ名４１は、ＡＥＴ登録画面３０のＡＥＴリスト３１で指定した設定対象のＡＥＴ名を表示する。また、ＡＥＴ名４１は、必要に応じてＡＥＴ名４１に表示した名称を変更することができるよう、文字入力が可能に構成されている。
【００４６】
コントラスト設定部４２は、印刷される画像の明暗差（コントラスト）を、例えば−５〜＋５の尺度で設定できるように構成されている。明度設定部４３は、印刷される画像の明度を、例えば−５〜＋５の尺度で設定できるように構成されている。なお、コントラストおよび明度に限らず、他の印刷条件の設定を行ってもよい。
【００４７】
プリンタ設定部４４は、ＤＩＣＯＭデータを印刷するプリンタを指定する設定部である。プリンタ設定部４４は、例えばスクロールバーで構成されており、ＤＩＣＯＭプリンタ１４、ＰＳプリンタ１５およびＰＳプリンタ１６のいずれかを選択できるように構成されている。図４に示した例では、「ＯＫＩ２」のＡＥＴについて、ＰＳプリンタ１５（Ｒｅｍｏｔｅ１）が設定されている。
【００４８】
保存ボタン４５は、ＡＥＴ設定画面４０で入力した内容を確定し、記憶装置１０５に保存するために押すボタンである。保存ボタン４５を押すと、プリンタ設定部４４による設定内容が、転送先テーブル設定・参照部１０６により、記憶装置１０５の転送先テーブル１０７に保存される。また、コントラスト設定部４２および明度設定部４３による設定内容も、記憶装置１０５に保存される。記憶装置１０５に設定を保存したのち、ＡＥＴ設定画面４０（図６）からＡＥＴ登録画面３０（図５）に戻る。
【００４９】
キャンセルボタン４６は、ＡＥＴ設定画面４０で入力した内容を破棄する際に押すボタンである。キャンセルボタン４６を押すと、ＡＥＴ設定画面４０で入力した内容を破棄したのち、ＡＥＴ登録画面３０（図５）に戻る。
【００５０】
＜ＤＩＣＯＭプリンタの動作＞
次に、第１の実施の形態におけるＤＩＣＯＭプリンタ１４の動作について説明する。図７は、ＤＩＣＯＭプリンタ１４の動作を示すフローチャートである。
【００５１】
ここでは、ネットワーク１０を介して、モダリティ１１、モダリティ１２若しくはモダリティ１３、またはパーソナルコンピュータからＤＩＣＯＭプリンタ１４にデータが送信されるものとする。
【００５２】
なお、モダリティがＤＩＣＯＭデータを送信する場合も、パーソナルコンピュータが通常データ（例えばｐｏｓｔｓｃｒｉｐｔデータ）を送信する場合も、ＩＰアドレスとポート番号を指定して送信を行う。
【００５３】
ポート番号には、ＤＩＣＯＭ用のポート番号と通常データ用のポート番号とがあり、モダリティがＤＩＣＯＭデータを送信する際には、ＤＩＣＯＭ用のポート番号を指定する。また、モダリティがＤＩＣＯＭデータを送信する際には、さらにＡＥＴを指定する。
【００５４】
まず、ＤＩＣＯＭプリンタ１４のネットワーク送受信部１０１は、ネットワーク１０を介して、モダリティまたはパーソナルコンピュータから送信されたデータを受信する（ステップＳ２０１）。なお、ＤＩＣＯＭデータの場合には、アソシエーションを確立する処理も行うが、ここでは説明を省略する。
【００５５】
次に、制御部１００は、ネットワーク送受信部１０１で受信したデータが、ＤＩＣＯＭ用のポート番号で受信したものか否かを判断する（ステップＳ２０２）。
【００５６】
ＤＩＣＯＭデータ用のポート番号で受信したデータであった場合には（ステップＳ２０２でＹＥＳ）、制御部１００は、指定されたＡＥＴを判断する（ステップＳ２０３）。上記の通り、ＤＩＣＯＭデータは、モダリティにより、ＡＥＴの指定と共に送信されている。
【００５７】
次に、制御部１００は、印刷データコマンド解析部１０２により、ＤＩＣＯＭデータの解析を行い、解析結果をメモリ１０８に格納する（ステップＳ２０４）。
【００５８】
次に、制御部１００は、ＤＩＣＯＭデータ変換部１０４により、ネットワーク送受信部１０１がメモリ１０８に格納したＤＩＣＯＭ画像データを、ページ記述言語であるｐｏｓｔｓｃｒｉｐｔデータに変換する（ステップＳ２０５）。
【００５９】
次に、制御部１００は、転送先テーブル設定・参照部１０６により、記憶装置１０５に格納された転送先テーブル１０７（図２）を参照し、ｐｏｓｔｓｃｒｉｐｔデータを転送するプリンタを検索する（ステップＳ２０６）。
【００６０】
すなわち、制御部１００は、上述したステップＳ２０３で判断したＡＥＴを転送先テーブル設定・参照部１０６に通知する。転送先テーブル設定・参照部１０６は、当該ＡＥＴを元に転送先テーブル１０７を検索し、ＡＥＴに対応する転送先を選択する。
【００６１】
例えば、ＡＥＴが「ＯＫＩ１」の場合には、転送先テーブル１０７に基づき、ＤＩＣＯＭプリンタ１４（ＬＯＣＡＬ）を選択する。ＡＥＴが「ＯＫＩ２」の場合には、ＰＳプリンタ１５（Ｒｅｍｏｔｅ１）を選択する。ＡＥＴが「ＯＫＩ３」の場合には、ＰＳプリンタ１６（Ｒｅｍｏｔｅ２）を選択する。
【００６２】
次に、制御部１００は、転送先テーブル設定・参照部１０６の検索結果に基づき、ステップＳ２０６で選択した転送先がＰＳプリンタ１５，１６かＤＩＣＯＭプリンタ１４かを判断する（ステップＳ２０７）。
【００６３】
出力先がＤＩＣＯＭプリンタ１４であった場合には（ステップＳ２０７でＮＯ）、制御部１００はＤＩＣＯＭプリンタ１４での印刷処理を実行する。すなわち、制御部１００は、印刷データ編集・展開部１０３により、メモリ１０８に格納された解析結果を基にｐｏｓｔｓｃｒｉｐｔデータを翻訳して印刷データを編集、展開し、その印刷データをメモリ１０８に格納する。そして、プリンタエンジン１０９により、展開された印刷データを用紙等の媒体に印刷する（ステップＳ２１０）。
【００６４】
出力先がＰＳプリンタ１５またはＰＳプリンタ１６であった場合には（ステップＳ２０７でＹＥＳ）、制御部１００は、ステップＳ２０６で変換したｐｏｓｔｓｃｒｉｐｔデータを、転送先のプリンタ（ＰＳプリンタ１５またはＰＳプリンタ１６）にネットワーク送受信部１０１を経由して転送する（ステップＳ２０８）。
【００６５】
転送先のプリンタ（ＰＳプリンタ１５またはＰＳプリンタ１６）では、ＤＩＣＯＭプリンタ１４から送信された印刷データを、用紙等の媒体に印刷する。
【００６６】
印刷データの転送完了後、制御部１００は、メモリ１０８に格納した印刷画像データを消去する（ステップＳ２１１）。
【００６７】
一方、ステップＳ２０２において、通常データ用のポート番号から受信したデータであった場合には（ステップＳ２０２でＮＯ）、制御部１００は、印刷データコマンド解析部１０２により、受信したデータを解析し（ステップＳ２０９）、上述したステップＳ２１０に進んでプリンタエンジン１０９での印刷処理を実行する。
【００６８】
＜第１の実施の形態の効果＞
このように、本発明の第１の実施の形態によれば、ＤＩＣＯＭプリンタ１４が、ＤＩＣＯＭデータの入力元と出力先とを対応付けて記憶した転送先テーブル１０７を有し、受信したＤＩＣＯＭデータをｐｏｓｔｓｃｒｉｐｔデータに変換し、転送先テーブル１０７に基づいて転送先（ＰＳプリンタ１５、ＰＳプリンタ１６等）に転送するため、より柔軟なシステム構築が可能になる。
【００６９】
すなわち、従来は１台のＤＩＣＯＭプリンタで集約的に行っていた印刷処理を、複数のプリンタで分散して行うことが可能になる。そのため、例えば、あるプリンタのトナーがなくなって印刷できない場合または印刷待ちに長時間を要する場合に、別のプリンタで印刷するといった柔軟な運用が可能になる。
【００７０】
また、例えば各モダリティの近傍（例えば同じ診察室内）に配置したＰＳプリンタを用いて、そのモダリティで撮影した医用画像を印刷することも可能になり、利便性が向上する。
【００７１】
また、ＤＩＣＯＭプリンタ１４が、ＤＩＣＯＭデータをｐｏｓｔｓｃｒｉｐｔデータに変換してから転送するため、比較的安価なＰＳプリンタ１５，１６を用いて医用画像を印刷することができる。そのため、コストの低減を実現することができる。
【００７２】
また、転送先テーブル１０７が、ＡＥＴと転送先（ＰＳプリンタ１５、ＰＳプリンタ１６等）とを対応付けて記憶しており、ＡＥＴはＤＩＣＯＭデータの入力元に対応しているため、ＤＩＣＯＭデータの入力元に対応した転送先を選択することができる。
【００７３】
また、転送先テーブル設定・参照部１０６が、ユーザの入力によって転送先テーブル１０７の設定を行うよう構成されているため、ユーザの利用形態に合わせて転送先テーブル１０７を設定することができ、利便性が向上する。
【００７４】
変形例．
上述した実施の形態では、ＤＩＣＯＭプリンタ１４の表示部１１０で転送先テーブル１０７の設定を行ったが、このような構成に限定されるものではない。例えば、図８に示すように、ＤＩＣＯＭプリンタ１４にＷＥＢサーバ部１４Ａを設け、ネットワーク１０を介してＨＴＴＰ（Ｈｙｐｅｒｔｅｘｔ  Ｔｒａｎｓｆｅｒ  Ｐｒｏｔｏｃｏｌ）によりＷｅｂサービスを提供し、ネットワーク１０に接続されたパーソナルコンピュータ１８（入力装置）で設定入力を行うようにしてもよい。この場合には、パーソナルコンピュータ１８の表示部に、ＡＥＴ登録画面３０（図５）およびＡＥＴ設定画面４０（図６）を表示する。
【００７５】
また、上述した実施の形態では、一つのＡＥＴに１つのプリンタを対応させたが、このような構成に限定されるものではない。例えば、複数のＡＥＴに１つのプリンタを対応させてもよい。例えばモダリティ１１，１２がＰＳプリンタ１５を共用する構成も可能である。このようにすれば、例えば健康診断において複数のモダリティの診断結果を１か所のプリンタで出力して患者に渡すといった運用も可能になる。
【００７６】
第２の実施の形態．
次に、本発明の第２の実施の形態について説明する。上述した第１の実施の形態では、１つのＡＥＴに対して１台のプリンタを設定していたが、この第２の実施の形態では、１つのＡＥＴに対して複数のプリンタを設定できるようにしている。
【００７７】
図９は、第２の実施の形態において、記憶装置１０５に保持された転送先テーブル１０７Ａの一例を示す図である。転送先テーブル１０７Ａには、「ＯＫＩ１」というＡＥＴには、転送先（出力先）として、ＤＩＣＯＭプリンタ１４（ＬＯＣＡＬ）が対応付けられている。「ＯＫＩ２」というＡＥＴには、転送先として、ＰＳプリンタ１５（Ｒｅｍｏｔｅ１）およびＰＳプリンタ１６（Ｒｅｍｏｔｅ２）が対応付けられている。「ＯＫＩ３」というＡＥＴには、転送先として、ＰＳプリンタ１６（Ｒｅｍｏｔｅ２）が対応付けられている。
【００７８】
図１０は、第２の実施の形態におけるＡＥＴ設定画面４０Ａを示す図である。ＡＥＴ設定画面４０Ａは、第１の実施の形態で説明したＡＥＴ設定画面４０（図６）と同様、ＡＥＴ名４１と、コントラスト設定部４２、明度設定部４３およびプリンタ設定部４４の各設定部と、保存ボタン４５と、キャンセルボタン４６とを有している。
【００７９】
このＡＥＴ設定画面４０Ａでは、プリンタ設定部４４の設定部において、複数（ここでは２つ）のプリンタを設定できるように構成されている。ここでは、例えば、「ＯＫＩ２」というＡＥＴに対して、ＰＳプリンタ１５（Ｒｅｍｏｔｅ１）とＰＳプリンタ１６（Ｒｅｍｏｔｅ２）の両方が設定されている。ＡＥＴ設定画面４０Ａの他の構成は、第１の実施の形態で説明したＡＥＴ設定画面４０（図６）と同様である。プリンタ設定部４４における設定内容は、転送先テーブル設定・参照部１０６により、記憶装置１０５の転送先テーブル１０７Ａに保存される。
【００８０】
なお、ここでは、１つのＡＥＴに対して２つのプリンタを設定可能とした例について説明したが、３つ以上のプリンタを設定可能としてもよい。
【００８１】
この第２の実施の形態では、１つのＡＥＴに対して複数のプリンタを選択できるため、１つのモダリティで撮影した医用画像を複数のプリンタで印刷するといった運用が可能になる。そのため、ユーザの利用形態に柔軟に対応することができる。
【００８２】
第３の実施の形態．
次に、本発明の第３の実施の形態について説明する。この第３の実施の形態では、ＡＥＴによってプリンタのトレイ（媒体供給部）を設定できるようにしている。
【００８３】
図１１は、第３の実施の形態において、記憶装置１０５に保持された転送先テーブル１０７Ｂの一例を示す図である。転送先テーブル１０７Ｂでは、「ＯＫＩ１」というＡＥＴに、転送先（出力先）として、ＤＩＣＯＭプリンタ１４（ＬＯＣＡＬ）が対応付けられている。「ＯＫＩ２」というＡＥＴには、転送先として、ＰＳプリンタ１５（Ｒｅｍｏｔｅ１）のトレイ１（光沢紙）が対応付けられている。「ＯＫＩ３」というＡＥＴには、転送先として、ＰＳプリンタ１６（Ｒｅｍｏｔｅ２）のトレイ２（ラベル紙）が対応付けられている。
【００８４】
図１２は、第３の実施の形態におけるＡＥＴ設定画面４０Ｂを示す図である。ＡＥＴ設定画面４０Ｂは、第１の実施の形態で説明したＡＥＴ設定画面４０（図６）と同様、ＡＥＴ名４１と、コントラスト設定部４２、明度設定部４３およびプリンタ設定部４４の各設定部と、保存ボタン４５と、キャンセルボタン４６とを有している。
【００８５】
このＡＥＴ設定画面４０Ｂでは、プリンタ設定部４４の設定部に加えて、トレイ設定部４７が設けられている。トレイ設定部４７は、例えばスクロールバーで構成されており、ＰＳプリンタ１５（Ｒｅｍｏｔｅ１）のトレイ１およびトレイ２、並びにＰＳプリンタ１６（Ｒｅｍｏｔｅ２）のトレイ１およびトレイ２を選択可能に構成されている。ＡＥＴ設定画面４０Ｂの他の構成は、第１の実施の形態で説明したＡＥＴ設定画面４０（図６）と同様である。プリンタ設定部４４およびトレイ設定部４７における設定内容は、転送先テーブル設定・参照部１０６により、記憶装置１０５の転送先テーブル１０７Ｂに保存される。
【００８６】
なお、ここでは、ＰＳプリンタ１５，１６のそれぞれについて２つのトレイから選択可能とした例について説明したが、３つ以上のトレイから選択可能としてもよい。
【００８７】
この第３の実施の形態では、ＡＥＴ毎にプリンタのトレイを設定できるため、例えば、医用画像の精度等を考慮し、最適な種類（光沢紙、普通紙、ラベル紙等）の媒体を収容したトレイを設定することが可能となる。そのため、ユーザの利用形態に柔軟に対応することができる。
【００８８】
第４の実施の形態．
次に、本発明の第４の実施の形態について説明する。この第４の実施の形態では、ＤＩＣＯＭデータの転送先（出力先）として、ＰＳプリンタ１５，１６に加えて、記憶媒体であるＵＳＢ（Ｕｎｉｖｅｒｓａｌ  Ｓｅｒｉａｌ  Ｂｕｓ）メモリ１９を設定できるようにしたものである。
【００８９】
図１３は、第４の実施の形態の画像形成システムを示す図である。第４の実施の形態の画像形成システムは、第１の実施の形態の画像形成システム（図１）に、記憶媒体としてのＵＳＢメモリ１９を加えたものである。ＵＳＢメモリ１９は、ＤＩＣＯＭプリンタ１４に装着されたものである。但し、このようなＵＳＢメモリに限らず、ネットワーク１０経由で記憶装置を接続してもよい。
【００９０】
図１４は、第４の実施の形態において、記憶装置１０５に保持された転送先テーブル１０７Ｃの一例を示す図である。転送先テーブル１０７Ｂでは、「ＯＫＩ１」というＡＥＴに、転送先（出力先）として、ＵＳＢメモリ１９が対応付けられている。「ＯＫＩ２」というＡＥＴには、転送先として、ＰＳプリンタ１５（Ｒｅｍｏｔｅ１）が対応付けられている。「ＯＫＩ３」というＡＥＴには、転送先として、ＰＳプリンタ１６（Ｒｅｍｏｔｅ２）が対応付けられている。
【００９１】
図１５は、第４の実施の形態におけるＡＥＴ設定画面４０Ｃを示す図である。ＡＥＴ設定画面４０Ｃは、第１の実施の形態で説明したＡＥＴ設定画面４０（図６）と同様、ＡＥＴ名４１と、コントラスト設定部４２、明度設定部４３およびプリンタ設定部４４の各設定部と、保存ボタン４５と、キャンセルボタン４６とを有している。
【００９２】
このＡＥＴ設定画面４０Ｃでは、プリンタ設定部４４の設定部に加えて、記憶媒体設定部４８が設けられている。記憶媒体設定部４８は、例えばスクロールバーで構成されており、ＵＳＢメモリ１９を選択できるように構成されている。なお、複数の記憶媒体から選択できるようにしてもよい。ＡＥＴ設定画面４０Ｃの他の構成は、第１の実施の形態で説明したＡＥＴ設定画面４０（図６）と同様である。プリンタ設定部４４および記憶媒体設定部４８における設定内容は、転送先テーブル設定・参照部１０６により、記憶装置１０５の転送先テーブル１０７Ｃに保存される。
【００９３】
この第４の実施の形態では、ＤＩＣＯＭデータを変換したｐｏｓｔｓｃｒｉｐｔデータをＵＳＢメモリ１９等の記憶媒体に出力できるため、ＵＳＢメモリ１９等に保存したｐｏｓｔｓｃｒｉｐｔデータを他のプリンタで印刷するなど、様々な利用形態に柔軟に対応することができる。
【００９４】
なお、上述した各実施の形態および変形例は、適宜組み合わせることが可能である。
【００９５】
また、上述した各実施の形態および変形例では、ＤＩＣＯＭプリンタ１４がＤＩＣＯＭデータの転送先（出力先）を決定しているが、このような形態に限定されるものではない。例えば、ＤＩＣＯＭプリンタ１４の代わりに、パーソナルコンピュータ等のサーバを用いることもできる。この場合、サーバがＤＩＣＯＭデータをｐｏｓｔｓｃｒｉｐｔデータに変換し、転送先テーブル１０７を参照してＰＳプリンタ１５およびＰＳプリンタ１６（またはＵＳＢメモリ１９）に出力する構成が可能である。
【００９６】
また、上述した各実施の形態および変形例のＤＩＣＯＭプリンタ１４と同様の機能は、ＭＦＰ（ＭｕｌｔｉＦｕｎｃｔｉｏｎＰｒｉｎｔｅｒ）などの画像形成装置に持たせてもよい。
【００９７】
また、上述した各実施の形態および変形例では、ネットワーク１０としてＬＡＮを用いたが、ＬＡＮに限定されるものではない。また、モダリティの種類および数は、上述した例に限定されるものではない。
【符号の説明】
【００９８】
１  画像形成システム、  １０  ネットワーク、  １１，１２，１３  モダリティ（情報処理装置）、  １４  ＤＩＣＯＭプリンタ（画像形成装置、サーバ）、  １５，１６  ＰＳプリンタ（画像処理装置）、  １８  パーソナルコンピュータ、  １９  ＵＳＢメモリ（記憶媒体）、  ２１  ＤＩＣＯＭデータのデータ要素、  ３０  ＡＥＴ登録画面、  ４０，４０Ａ，４０Ｂ，４０Ｃ  ＡＥＴ設定画面、  ４４  プリンタ設定部、  ４７  トレイ設定部、  ４８  記憶媒体設定部、  １００  制御部、  １０１  ネットワーク送受信部、  １０２  印刷データコマンド解析部、  １０３  印刷データ編集・展開部、  １０４  ＤＩＣＯＭデータ変換部（変換部）、  １０５  記憶装置、  １０６  転送先テーブル設定・参照部（設定部）、  １０７  転送先テーブル（対応テーブル）、  １０８  メモリ、  １０９  プリンタエンジン（画像形成部）。
【図１】
2016137571.tif 000003
【図２】
2016137571.tif 000004
【図３】
2016137571.tif 000005
【図４】
2016137571.tif 000006
【図５】
2016137571.tif 000007
【図６】
2016137571.tif 000008
【図７】
2016137571.tif 000009
【図８】
2016137571.tif 000010
【図９】
2016137571.tif 000011
【図１０】
2016137571.tif 000012
【図１１】
2016137571.tif 000013
【図１２】
2016137571.tif 000014
【図１３】
2016137571.tif 000015
【図１４】
2016137571.tif 000016
【図１５】
2016137571.tif 000017